(57)【特許請求の範囲】
【請求項１】
傾動可能なシートバックの側部に設けられるロックピンと、ロックピン側方の車両ボディに固定され、ロックピンを挿入するロック孔を備えたロックプレートとを有するシートバックのロック機構であって、
ロックピンは、ロック孔への挿脱方向に揺動可能な軸部と、該軸部の先端部に位置し軸部よりも大径の抜止鍔部とを有し、
ロックプレートは、車両ボディへの固定部よりも車両の内方に位置するオフセット面部と、該オフセット面部と上記固定部を接続しロックピンの抜止鍔部が当接可能な接続面部とを有し、
ロック孔は、
ロックプレートのオフセット面部に形成され、ロックピンの抜止鍔部よりも幅狭で、ロックピンの軸部と係合してシートバックの傾動を規制するロック溝部と、
該ロック溝部に連通してロックプレートの接続面部に形成され、ロックピンの抜止鍔部よりも幅広の鍔部挿脱孔部と
を有し、
ロックプレートの接続面部の延長上に、シートバックが傾動するときロックピンの抜止鍔部が摺接する摺接面を有することを特徴とするシートバックのロック機構。
【請求項２】
請求項１記載のシートバックのロック機構において、ロックピンをロック孔との係合方向に付勢する付勢手段を備え、ロック孔のロック溝部は、ロックピンの係合方向に進むにつれて徐々に幅狭となるテーパー溝であることを特徴とするシートバックのロック機構。
【発明の詳細な説明】
【技術分野】
【０００１】
本発明は後傾角度を調整可能なシートバックのロック機構に関する。
【背景技術】
【０００２】
自動車の座席、特に後部座席に好適な、簡易な構造のシートバックのリクライニングロック機構が特許文献１や特許文献２で提案されている。特許文献１では、複数のロック歯（ロック溝）を有する鋸歯状のロックプレートを車両ボディ側に設け、このロックプレートのロック歯に対して係合してシートバックの傾動を規制するロックピンをシートバック側に設けている。ロックピンは、その軸線に対して直交する方向に移動することによってロック歯に対して係脱される。また、ロックピンの端部には大径の鍔部が設けられていて、鍔部がロックプレートと係合することによってロックピンの軸線方向移動が規制される。特許文献２では、複数のロック孔を有するロックプレートが車両ボディ側に設けられ、シートバック側に設けたロックピンがその軸線方向に進退移動して出没し、ロックプレートのロック孔に対して挿脱される構造になっている。特許文献２のようにロックピンを軸線方向に移動させてロック孔に挿脱させる構造はさらに、ロックピンをシートの横幅方向（リクライニングの回動軸と略平行な方向）に進退させるタイプと、上下方向に進退させるタイプとに大別される。
【特許文献１】実開昭５３−１５１０２８号
【特許文献２】実開昭６２−１１５９３７号
【発明の開示】
【発明が解決しようとする課題】
【０００３】
ロックピンをシートの横幅方向に沿って軸線方向移動させてロック孔に挿脱させるタイプのロック機構では、シートに大きな外力、特にベルトインシートにおいてシートベルトを介して入力されるような横方向の外力が加わった場合に、ロックピンとロックプレートの係合解除が生じないようにする必要がある。また、ロックピンを鋸歯状のロックプレートに係脱させるタイプのロック機構では、ロック孔のうちロック解除方向の端部が開放されている関係上、ロックプレートの剛性確保が求められる。また、ロックピンをシートの上下方向に沿って軸線方向移動させてロック孔に挿脱させるタイプのロック機構は、シートの横方向に加わる外力に対する剛性は確保しやすいが、車両ボディ内側におけるロックプレートの突出量が大きくなり、見栄えに影響するおそれがある。そこで本発明は、コンパクトに構成可能でありながらロック状態での強度に優れるシートバックのロック機構を提供することを目的とする。
【課題を解決するための手段】
【０００４】
本発明は、傾動可能なシートバックの側部に設けられるロックピンと、ロックピン側方の車両ボディに固定され、ロックピンを挿入するロック孔を備えたロックプレートとを有するシートバックのロック機構であって、ロックピンは、ロック孔への挿脱方向に揺動可能な軸部と、該軸部の先端部に位置し軸部よりも大径の抜止鍔部とを有し、ロックプレートは、車両ボディへの固定部よりも車両の内方に位置するオフセット面部と、該オフセット面部と固定部を接続しロックピンの抜止鍔部が当接可能な接続面部とを有し、ロック孔は、ロックプレートのオフセット面部に形成され、ロックピンの抜止鍔部よりも幅狭で、ロックピンの軸部と係合してシートバックの傾動を規制するロック溝部と、該ロック溝部に連通してロックプレートの接続面部に形成され、ロックピンの抜止鍔部よりも幅広の鍔部挿脱孔部とを有しており、さらにロックプレートにおける接続面部の延長上に、シートバックが傾動するときロックピンの抜止鍔部が摺接する摺接面を有していることを特徴としている。
【０００５】
さらに、ロックピンをロック孔との係合方向に付勢する付勢手段を備え、ロック孔のロック溝部は、ロックピンの係合方向に進むにつれて徐々に幅狭となるテーパー溝であることが好ましい。
【発明の効果】
【０００７】
以上の本発明によれば、車両ボディの内側へのロックプレートの突出量は小さく抑えつつ、特にシートの横幅方向に加わる外力に対するロックプレートの剛性が高くなり、小型化とロック状態での強度を両立したシートバックのロック機構が得られる。また、ロックピンの軸部の摩耗を防いで耐久性を向上させることができる。
【発明を実施するための最良の形態】
【０００８】
図１に示すロックピン機構１０は、図示しない自動車の後部座席のシートバックに設けられている。ロックピン機構１０を構成するガイドケース１１には、互いに平行な一対の長孔１２が形成されており、この長孔１２に対して、シートの幅方向に軸線を向けたロックピン１３のピン軸部１４が挿通されている。ロックピン１３は、長孔１２の案内を受けて、その軸線と直交する方向へ昇降移動（揺動）可能である。ピン軸部１４は長孔１２にガタなく挿入される径サイズであり、ロックピン１３は、ピン軸部１４よりも大径の一対の抜け止めフランジ１５を備えている。一対の抜け止めフランジ１５は、ガイドケース１１の側面に当接して長孔１２に対するロックピン１３の軸線方向の移動、すなわち長孔１２からのロックピン１３の脱落を規制している。ロックピン１３の一端部は、シートバックの側部から図示しない車両ボディの内壁部方向へ向けて突出しており、このロックピン１３の突出端部には、ピン軸部１４よりも大径の抜止鍔部１６が設けられている。ロックピン１３は、ガイドケース１１内に設けた圧縮コイルばね（付勢手段）１７によって長孔１２の下端部方向（ロック方向）へ付勢されている。そして、シートバックから突出するアンロック操作ノブ１８を把持して、圧縮コイルばね１７の付勢力に抗してロックピン１３を長孔１２の上端部方向（アンロック方向）へ移動させることができる。以上のロックピン機構１０が設けられるシートバックは、ロックピン１３の軸線と略平行なリクライニング軸（不図示）を中心として傾動可能となっている。
【０００９】
ロックプレート２０は、ロック孔形成枠部２１と、ロック孔形成枠部２１を挟んで上下に位置する取付フランジ部（固定部）２２、２３とを有し、それぞれの取付フランジ部２２、２３に形成した貫通孔２４に固定用のねじを挿通させることにより、図示しない車両ボディの内壁部に取り付けられる。ロック孔形成枠部２１は、車両の内側に向けて凸となるコ字状の断面形状をなし、取付フランジ部２２、２３よりも車両内方側にオフセットして位置されるオフセット面部２６と、このオフセット面部２６とそれぞれの取付フランジ部２２、２３を接続する接続面部２５、２７を有している。オフセット面部２６は、概ねロックピン１３の軸線と直交する面であり、接続面部２５、２７は、概ねロックピン１３の軸線方向に向く面である。接続面部２５の前方領域は、下方に向けて湾曲されたスロープ面（摺接面）２５ａとなっており、このスロープ面２５ａと反対のロックプレート２０の後端部側に、取付フランジ部２２を屈曲させてストッパ３０が形成されている。
【００１０】
ロックプレート２０には、ロック孔形成枠部２１のうち接続面部２５とオフセット面部２６で形成されるＬ字状断面の段部に、前後方向に位置を異ならせて２つのロック孔２８、２９が形成されている。ロック孔２８とロック孔２９は互いに略同形状の孔部であり、接続面部２５上には、ロックピン１３の抜止鍔部１６が通過可能な幅を有する鍔挿脱孔部２８ａ、２９ａが形成され、オフセット面部２６上には、ロックピン１３の抜止鍔部１６は通過不能でピン軸部１４のみ進入可能な幅のロック溝部２８ｂ、２９ｂが形成されている。ロック溝部２８ｂ、２９ｂの上端部は鍔挿脱孔部２８ａ、２９ａに連通している。ロック溝部２８ｂ、２９ｂは、この上端部から離れて接続面部２７側に進むにつれて徐々に幅を狭くするテーパー形状に形成されている。より詳細には、ロック溝部２８ｂ、２９ｂは、その幅が最も狭くなる下端部ではピン軸部１４の径サイズよりも幅狭で、鍔挿脱孔部２８ａ、２９ｂに連通する上端部ではピン軸部１４の径サイズよりも幅広になっている。ロック孔２８、２９の形成領域は、接続面部２５とオフセット面部２６に亘るＬ字状の段部内で完結しており、ロック孔２８、２９における鍔挿脱孔部２８ａ、２９ａより上側の領域は取付フランジ部２２で塞がれ、ロック溝部２８ｂ、２９ｂより下側の領域は接続面部２７（及び取付フランジ部２３）で塞がれている。すなわち、ロック孔２８、２９は、ロックプレート２０の外縁部には開口しない閉じられた形状の孔として形成されている。
【００１１】
ロックピン機構１０とロックプレート２０をそれぞれシートバック側と車両ボディ側に組み付けたとき、長孔１２に沿って移動されるロックピン１３の抜止鍔部１６の移動軌跡上に、ロックプレート２０の接続面部２５が位置する。ロックピン１３は、圧縮コイルばね１７の付勢力によって抜止鍔部１６の周縁部を接続面部２５に当接させる方向に移動付勢されている。そして、シートバックの角度を変化させるとき、シートバック側に設けられたロックピン１３の抜止鍔部１６がロックプレート２０の接続面部２５上を摺動し、その途中のロック孔２８とロック孔２９にロックピン１３を係合させることによってシートバックの角度変更が規制されたロック状態になる。
【００１２】
より詳細に説明すると、ロックプレート２０の接続面部２５に対してロックピン１３の抜止鍔部１６が当接している状態では、シートバックの角度変更が許されている。この状態からシートバックを傾動させ、接続面部２５に当接していたロックピン１３の抜止鍔部１６がロック孔２８（２９）の形成位置まで達すると、接続面部２５によって与えられていたロック方向への移動規制が解除され、圧縮コイルばね１７の付勢力によってロックピン１３がロック方向に移動され、図２に符号Ａ（Ｂ）で示すようにロック孔２８（２９）に係合する。このとき、図３に示すように、ロックピン１３の抜止鍔部１６が鍔挿脱孔部２８ａ（２９ａ）を通過してロック孔形成枠部２１の内側（接続面部２５とオフセット面部２６で形成されたＬ字状段部の内部）に進入し、同時にピン軸部１４がロック溝部２８ｂ（２９ｂ）内に進入する。ロック溝部２８ｂ（２９ｂ）は下方に進むにつれて徐々に幅狭になり、その下端部ではピン軸部１４の径よりも狭い幅になっているため、図２に示すように、ロック溝部２８ｂ（２９ｂ）の下端部に当て付く前に、ロック方向へのピン軸部１４の移動が規制される。以後、圧縮コイルばね１７の付勢力によって、ピン軸部１４はロック溝部２８ｂ（２９ｂ）に対して当該移動規制位置で保持される。このように、ロック溝部２８ｂ（２９ｂ）の対向面部を、ロック方向に進むにつれて幅狭となるテーパー面としたため、ピン軸部１４とロック溝部２８ｂ（２９ｂ）の間でガタが生じることなく、ロックピン１３を安定して保持することができる。
【００１３】
ロックピン１３が図２にＡ（Ｂ）で示すロック位置にあるとき、そのピン軸部１４とロック溝部２８ｂ（２９ｂ）の係合関係によって、シートバックの角度変更が規制される。このとき、抜止鍔部１６がロックプレート２０のオフセット面部２６の背後位置に進入されているため、シートバックに対してシート横幅方向（ロックピン１３の軸線方向）への力が加わっても、オフセット面部２６と抜止鍔部１６との関係によって、ロック孔２８（２９）からのロックピン１３の脱落が防止される。そして、ロック孔２８（２９）は、ロックプレート２０上下端には臨まない閉鎖段部であるロック孔形成枠部２１上に形成されているため、ロックピン１３の抜止鍔部１６から入力される外力に対して高い剛性が得られる。例えば、本実施形態とは異なり、ロック溝部２８ｂ（２９ｂ）に相当するロック溝の上端部がロックプレートの上縁部に鋸歯状に開口している従来タイプのロック機構では、ロック溝の上端開口部付近が強度的に弱くなりがちであるため、当該部分に対してロックピンの抜止鍔部を介して軸線方向へ過度な大きさの外力が作用しても耐えられるように、ロックプレートを肉厚にするなどの対策が必要であった。これに対して本実施形態のロックプレート２０では、ロックピン１３の抜止鍔部１６から外力が入力されるオフセット面部２６の上側は、ロック孔２８（２９）を囲む接続面部２５や取付フランジ部２２によって閉じられているため剛性が高くなっており、ロック溝部２８ｂ（２９ｂ）近辺での変形が生じにくい。
【００１４】
ロック状態を解除するには、アンロック操作ノブ１８をアンロック方向に引き上げ操作して、圧縮コイルばね１７の付勢力に抗してロックピン１３を長孔１２の上端部方向に移動させる。すると、ロックピン１３の抜止鍔部１６が鍔挿脱孔部２８ａ（２９ａ）を通過してロック孔２８（２９）から離脱する。同時に、ロックピン１３のピン軸部１４も、ロック溝部２８ｂ（２９ｂ）の上端部から上方に抜け出てロック孔２８（２９）から離脱する。これによりロック孔２８（２９）とロックピン１３の係合が解除されてシートバックの角度を変えることが可能になる。
【００１５】
ロック孔２９によるロック位置よりもさらにシートバックを後傾させたときには、ロックピン１３は図２のＣ位置において抜止鍔部１６をストッパ３０に当接させ、それ以上のシートバックの後傾動作が規制される。なお、シートバックの最大後傾位置を決める手段は、ロックプレート２０以外の部分に設けてもよい。
【００１６】
一方、シートバックは着座用のロック位置より前方に倒してシートクッション上に折り重ねることも可能である。折り重ねた位置からシートバックを引き起こしていくと、抜止鍔部１６がスロープ面２５ａに当接した後、スロープ面２５ａ上を摺接しながら圧縮コイルばね１７を圧縮させ、やがてロックピン１３がロック孔２８に係合してシートバックのロック状態に復帰する。このように、シートバックの傾動時にスロープ面２５ａに対して抜止鍔部１６が摺接し、ロックピン１３の軸部１４がロックプレート２０に接触しない構成としたことにより、軸部１４の摩耗を防いで耐久性を向上させることができる。
【００１７】
以上のように、本実施形態のシートバックのロック機構は、車両ボディの内壁に沿う形状のロックプレート２０のロック孔２８、２９に対して、シートの横幅方向に軸線を向けたロックピン１３をその軸線と略直交する方向に昇降移動させて係脱させてロック状態とアンロック状態を切り換える構造であるため、車両ボディからのロックプレート２０の突出量が小さく、コンパクトなロック機構を得ることができる。また、前述したように、ロックピン１３と係合するロック孔２８、２９を、オフセット面部２６から接続面部２５に亘る閉じられた段部領域に形成したことにより、ロックプレート２０はシートバックの横幅方向の変位に対して高い剛性を発揮できる。また、ロック孔２８、２９のロック溝部２８ｂ、２９ｂを、ロックピン１３のロック方向へ進むにつれて徐々に幅狭となるテーパー溝としたことにより、ロックピン１３が係合したときのガタつきを抑えることができる。また、シートバックの傾動時にロックプレート２０のスロープ面２５ａに対してロックピン１３の抜止鍔部１６が摺接することで、ロックピン１３の軸部１４を摩耗させずに耐久性を高めることができる。
【００１８】
以上、図示実施形態に基づき本発明を説明したが、本発明は図示した実施形態に限定されるものではなく、発明の要旨を逸脱しない限りにおいて改良や改変が可能である。例えば、図示実施形態ではロックプレート２０に設けるロック孔は２つであるが、ロックプレートに設けるロック孔の数は２つに限定されず、１つ、あるいは３つ以上の任意の数に設定することができる。
【図面の簡単な説明】
【００１９】
【図１】本発明のシートバックのロック機構を構成するロックプレートとロックピン機構の斜視図である。
【図２】ロックプレートの単体正面図である。
【図３】図２のIII−III断面に沿うロックプレートの断面図である。
【符号の説明】
【００２０】
１０  ロックピン機構
１２  長孔
１３  ロックピン
１４  ピン軸部
１５  抜け止めフランジ
１６  抜止鍔部
１７  圧縮コイルばね（付勢手段）
１８  アンロック操作ノブ
２０  ロックプレート
２１  ロック孔形成枠部
２２  ２３  取付フランジ部（固定部）
２５  ２７  接続面部
２５ａ  スロープ面（摺接面）
２６  オフセット面部
２８  ２９  ロック孔
２８ａ  ２９ａ  鍔挿脱孔部
２８ｂ  ２９ｂ  ロック溝部
【図１】
0005260902.tif 000002
【図２】
0005260902.tif 000003
【図３】
0005260902.tif 000004